(57)【要約】【課題】依頼元の要求を確実に依頼先へ伝達できる診療レポートシステムを提供する。【解決手段】医用画像を含む医療情報についての診療レポートのフォーマットを作成し、該作成されたフォーマットを表示し、該表示されたフォーマットに診断レポートを作成する際の診断項目を設定すると共に、前記診断項目を設定したフォーマットを依頼元から依頼先へＬＡＮ５を介して転送する操作を行う読影結果表示端末２と、前記転送されたフォーマットを表示し、該表示された診断項目に従って診断された診療データを入力して診療レポートを作成すると共に、該作成された診療レポートを依頼元先から依頼先元へＬＡＮ５を介して転送する操作を行う読影結果入力端末３とを有する。【選択図】  図１
2004267403.tif 000002
【特許請求の範囲】
【請求項１】
医用画像を含む医療情報についての診療レポートのフォーマットを作成し、該作成されたフォーマットを表示し、該表示されたフォーマットに診断レポートを作成する際の診断項目を設定すると共に、前記診断項目を設定したフォーマットを依頼元から依頼先へネットワークを介して転送する操作を行う依頼元端末と、前記転送されたフォーマットを表示し、該表示された診断項目に従って診断された診療データを入力して診療レポートを作成すると共に、該作成された診療レポートを依頼先から依頼元へネットワークを介して転送する操作を行う依頼先端末とを備えたことを特徴とする診療レポートシステム。
【発明の詳細な説明】
【０００１】
【発明が属する技術分野】
本発明は、専門医に画像等の検査を依頼するに当たり、情報ネットワークを使う上で依頼元（診療科など）と依頼先（放射線科など）との情報交換を密にできる診療レポートシステムに関する。
【０００２】
【従来の技術】
従来の診療レポートシステムは、医療診療レポート配信システムとして、［特許文献１］に次のように記載されている。
【０００３】
専門医の診療所見、あるいは外科手術の内容や病理診断または在宅医療の記録などを口述したものがコンピュータの記憶媒体に記録される。仲介センタでは、通信回線に結合した専門医のコンピュータサイトから送られる専門医が音声録音した診療レポートの音声情報ファイルを受信する。そして仲介センタにおいて、音声情報ファイルを開いて診療所見の音声レポートが得られる。音声ファイルのレポートを所定の書式の文書データの文書ファイルに変換し、文書ファイルを仲介センタから通信回線を介して所定の宛先へ送信する。これにより、専門医による画像診療の精度向上と、迅速で能率的なレポート作成、および依頼者への診療レポートの納入を短時間で可能としている。
【０００４】
【特許文献１】
特開２００１−２９０８８１号公報
【０００５】
【発明が解決しようとする課題】
しかしながら、上記従来技術では、音声入力により効率良く診療レポート作成を行えるものであるが、依頼元が「医用画像の特にこの部分を診断してもらいたい」といった要求が有る時、その要求を依頼先へ確実に伝達するという点は配慮されていなかった。
【０００６】
本発明の目的は、依頼元の要求を確実に依頼先へ伝達できる診療レポートシステムを提供することにある。
【０００７】
【課題を解決するための手段】
上記目的は、医用画像を含む医療情報についての診療レポートのフォーマットを作成し、該作成されたフォーマットを表示し、該表示されたフォーマットに診断レポートを作成する際の診断項目を設定すると共に、前記診断項目を設定したフォーマットを依頼元から依頼先へネットワークを介して転送する操作を行う依頼元端末と、前記転送されたフォーマットを表示し、該表示された診断項目に従って診断された診療データを入力して診療レポートを作成すると共に、該作成された診療レポートを依頼先から依頼元へネットワークを介して転送する操作を行う依頼先端末とを備えたことを特徴とする診療レポートシステムによって達成される。
【０００８】
【発明の実施の形態】
図１は本発明の診療レポートシステムの一例を示すブロック図、図２は図１の読影結果表示端末及び読影結果入力端末のブロック図、図３は図１の医用診断レポートシステムの動作を説明するフローチャート、図４は図３のステップ３１の表示例を示す図、図５は図３のステップ３５の入力例及びステップ３８の表示例を示す図である。
【０００９】
本発明の診療レポートシステムは、図１に示すように、サーバ１、読影結果表示端末２、読影結果入力端末３、モダリティ４と、サーバ１乃至モダリティ４を接続するローカルエリアネットワーク（ＬＡＮ）５とを有している。
【００１０】
サーバ１は、ＬＡＮ５を介して、読影結果表示端末２、読影結果入力端末３、モダリティ４とを相互に画像データや診療レポートなどのデータを転送する。
【００１１】
読影結果表示端末２は、依頼元に配置されるものである。その機能はモダリティ４の医用画像を含む医療情報についての診療レポートのフォーマットを作成する。このフォーマットは診療科ごとに独自のものがあるので、診療科ごとに個々に作成するように編集機能を設けている。この編集機能は従来から知られる文書編集や表計算のソフトウエアを用いて行う。また、上記診療科ごとのフォーマットを予め診療科ごとにフォーマットを分類して記憶しておいてもよい。また同じ診療科でも診断部位によってフォーマットを変える必要がある場合には、診断部位ごとにフォーマットを作成できるようにしておいたり、記憶しておいたりしてもよい。このように作成あるいは記憶されたフォーマットをモニタに表示する。操作者はモニタに表示されたフォーマットへ診断レポートを作成する際の診断項目を設定する。具体的には、図４のようにシェーマといわれるイラストを描いて、そのイラストに重点的に診断してもらいたい部位を入力する。図の例では胃の噴門付近に癌が疑われる画像があるため、それを診断項目として、「ここを重点的に」を設定している。また、シェーマの部分にペン等のポインティングデバイスを移動させてタッチすれば、モダリティ４から診断画像を呼び出すことができる。このように診断項目を設定したフォーマットを依頼元から依頼先の読影結果入力端末３へＬＡＮ５を介して転送する操作を行う。
【００１２】
読影結果入力端末３は、依頼先に配置されるものである。その機能は診断項目転送されたフォーマットをモニタに表示し、該表示された診断項目に従って診断された診療データを入力して診療レポートを作成する。具体的には図４のシェーマ上の診断項目に従って、放射線科などの専門医が胃の噴門付近を重点的に診断する。この診断はシェーマをペンでタッチすれば診断画像が呼び出せるので、その呼び出しを行って画像診断する。そして、その画像診断の結果、病変部が見つかれば、シェーマに病変部を描き込み、診療レポートを作成する。この描き込みは、専門医にしかできないようにしてある。つまり、他の第３者がデータを改ざんしたりできないように、パスワードや指紋、などあらゆる認証システムで専門医を特定するようになっている。このように作成された診療レポートを依頼元から依頼先へ転送する操作を行う。
【００１３】
モダリティ４は、Ｘ線透視撮影装置、Ｘ線ＣＴ装置、ＭＲＩ装置、超音波診断装置、生体光計測装置、心電図描画装置など、被検体の診断情報を測定して画像化可能なあらゆる医用画像診断装置である。
【００１４】
ＬＡＮ５は、病院内のネットワークを例としている。しかし、病院内のネットワークのほか、患者個人にとって最高機密に当たる診断情報をデータ転送するものであるから、セキュリティが確立されたもとでのインターネットなど、ローカルだけでなくワールドワイドなネットワークであってもよい。
【００１５】
また、読影結果表示端末２及び読影結果入力端末３の詳細な構成は、図２に示すように、モニタ７、操作部８、読影レポートシステム９に接続された制御部６を有している。
【００１６】
制御部６はモニタ７、操作部８、レポート作成部９を制御する。モニタ７は、フォーマット又は診療レポート、モダリティ４からの医用画像を表示する。操作部８は、ペン、タブレット、タッチパネル、マウス、トラックボールなどのポインティングデバイスやキーボードなどの入力装置である。入力する対象は、フォーマットを作成したり、読影レポートシステム９に用意された記憶部に記憶されているフォーマットを読み出したり、診療レポートを作成したり、診療レポートを読影レポートシステム９に記憶させたり、モダリティ４から医用画像を呼び出したりする操作を行う。レポート作成部９は診療レポートのフォーマットや依頼先が作成した診療レポートを記憶したり、診療レポートの作成を支援するソフトウエアが制御部６によって読出し可能となっている。
【００１７】
次に、本発明の診療レポートシステムの動作例について、図３を用いて説明する。
【００１８】
依頼元の操作者は、図４に示されるように、読影結果表示端末２のモニタ７の表示画面４０に患者ＩＤ４１、患者名４２、依頼内容４３、シェーマ４４、シェーマ４４に楕円のマークをつけて「ここを重点的に」というような診断項目をオーダデータとして入力する。ここでは、シェーマ４４をペンでポイントすれば診断を依頼する画像が出てくる機能を持っている。（ステップ３１）
【００１９】
読影結果表示端末２の制御部６は、ステップ３１で入力したオーダデータをレポート作成部９に用意された記憶部に記憶する。（ステップ３２）
【００２０】
サーバ１は、ステップ３１で入力した、あるいはステップ３２で記憶したオーダデータを依頼先の読影結果入力端末３にＬＡＮ５を介してデータ転送させる。（ステップ３３）
【００２１】
読影結果入力端末３の制御部６は、ステップ３３でデータ転送されたオーダデータを読影結果入力端末３のモニタ７に表示し、その表示されたオーダデータに従って診察する。（ステップ３４）
【００２２】
依頼先の操作者、例えば放射線科の専門医は、図４のシェーマ４４にペンを移動してポイントすることで、モダリティ４から医用画像を呼び出す。そしてその呼び出した医用画像について、シェーマ４４に描かれている胃の噴門付近の影等を重点的に検査し、病変部を見つけたらそのシェーマに図５のシェーマ５５のように、その病変部にマークを入力することで、「依頼先でＫＥＹ画像を貼付け、シェーマ入力」を実行し、診療レポートを作成する。（ステップ３５）
【００２３】
読影結果入力端末３の制御部６は、ステップ３５で作成した診療レポートをレポート作成部９に用意された記憶部に記憶する。（ステップ３６）
【００２４】
サーバ１は、ステップ３５で作成した、あるいはステップ３６で記憶した診療レポートを依頼元の読影結果表示端末２にＬＡＮ５を介してデータ転送させる。（ステップ３７）
【００２５】
読影結果表示端末２の制御部６は、ステップ３７でデータ転送されたオーダデータを読影結果表示端末２のモニタ７に表示する。（ステップ３８）
【００２６】
以上説明したように、本実施の形態では、医用画像を含む医療情報についての診療レポートのフォーマットを作成し、該作成されたフォーマットを表示し、該表示されたフォーマットに診断レポートを作成する際の診断項目を設定すると共に、前記診断項目を設定したフォーマットを依頼元から依頼先へＬＡＮ５を介して転送する操作を行う読影結果表示端末２と、前記転送されたフォーマットを表示し、該表示された診断項目に従って診断された診療データを入力して診療レポートを作成すると共に、該作成された診療レポートを依頼元先から依頼先元へＬＡＮ５を介して転送する操作を行う読影結果入力端末３と、前記転送された診療レポートを読影結果表示端末２のモニタに表示させるサーバ１とを備えたので、依頼元の要求を確実に依頼先へ伝達できる。
【００２７】
【発明の効果】
本発明は、依頼元の要求を確実に依頼先へ伝達できる診療レポートシステムを提供するという効果を奏する。
【図面の簡単な説明】
【図１】本発明の診療レポートシステムの一例を示すブロック図。
【図２】図１１の読影結果表示端末及び読影結果入力端末のブロック図。
【図３】図１の医用診断レポートシステムの動作を説明するフローチャート。
【図４】図３のステップ３１の表示例を示す図。
【図５】図３のステップ３５の入力例及びステップ３８の表示例を示す図。
【符号の説明】
１…サーバ、２…読影結果表示端末（依頼元）、３…読影結果入力端末（依頼先）、４…モダリティ、５…ローカルエリアネットワーク（ＬＡＮ）、６…制御部、７…モニタ、８…操作部、９…レポート作成部
【図１】
2004267403.tif 000003
【図２】
2004267403.tif 000004
【図３】
2004267403.tif 000005
【図４】
2004267403.tif 000006
【図５】
2004267403.tif 000007